(57)【特許請求の範囲】
【請求項１】
血液分離チャンバと前記血液分離チャンバに接続された少なくとも１つのチューブを含む送液ラインとを備えた採血回路セットの前記血液分離チャンバに遠心力を付与するように構成された遠心分離用ロータであって、
上下方向の軸心を中心に回転駆動されるロータ本体と、
前記ロータ本体によって囲まれ、前記ロータ本体の軸方向に貫通する貫通孔と、
前記ロータ本体に設けられ、前記血液分離チャンバが上方から装着可能に構成された装着溝と、
前記貫通孔と前記ロータ本体の外周部とを連通するとともに前記軸方向に貫通し、前記送液ラインを挿通可能なスリットと、を備え、
前記装着溝は、当該装着溝の延在方向の一端側を構成する第１端部と、前記延在方向の他端側を構成する第２端部とを有し、前記貫通孔の周囲を一周未満の範囲で囲むように延在しており、
前記スリットは、前記第１端部と前記第２端部との間の前記装着溝のない部分に設けられている、
ことを特徴とする遠心分離用ロータ。
【請求項２】
請求項１記載の遠心分離用ロータにおいて、
前記ロータ本体により構成される上側ロータの下方に、前記上側ロータと同軸に相対回転可能な下側ロータをさらに備え、
前記下側ロータには、前記貫通孔に連通するとともに前記下側ロータの外周部で開口し、前記スリットと連通可能な下部空洞が設けられている、
ことを特徴とする遠心分離用ロータ。
【請求項３】
請求項１又は２に記載の遠心分離用ロータにおいて、
前記ロータ本体には、前記スリットを開閉可能な蓋部材が配置されている、
ことを特徴とする遠心分離用ロータ。
【請求項４】
血液分離チャンバと前記血液分離チャンバに接続された少なくとも１つのチューブを含む送液ラインとを備えた採血回路セットが装着されるように構成された遠心分離装置であって、
前記血液分離チャンバ及び前記送液ラインが取付け可能であり、前記血液分離チャンバに遠心力を付与するロータを備え、
前記ロータは、請求項１〜３のいずれか１項に記載の遠心分離用ロータである、
ことを特徴とする遠心分離装置。
【発明の詳細な説明】
【技術分野】
【０００１】
本発明は、遠心分離用ロータ及び遠心分離装置に関する。
【背景技術】
【０００２】
近年の献血においては、供血者から全血を採取する全血採血の他に、供血者の身体への負担が軽い成分採血（アフェレーシス）が行われている。成分採血は、成分採血システム（アフェレーシスシステム）を使用し、全血から特定の血液成分だけを採取し、残りの成分を供血者の体内に再び戻す採血方法である。
【０００３】
特許文献１には、供血者から取り出した全血を遠心分離して血小板を採取する成分採血システムが開示されている。この成分採血システムは、処理される血液又は血液成分が流れる回路を形成する採血回路セットと、この採血回路セットが装着される遠心分離装置を備える。採血回路セットは、全血が導入される帯状の血液分離チャンバ及びこの血液分離チャンバに接続された複数の導入又は導出チューブを含むチャネルセットを有する。
【０００４】
使用に際し、チャネルセットは遠心分離装置のロータに装着される。ロータは、遠心分離装置内の下部に縦向きで配置されているとともに、ロータ上面に血液分離チャンバを装着するための装着溝を有する。ロータには、さらに、ロータ上面に形成された上部開口と、ロータ外周部に形成された側部開口とを連通する空洞部が設けられている。ロータへのチャネルセットの装着においては、複数のチューブが接続された血液分離チャンバをロータの側部開口から空洞部へと挿入するとともに、上部開口から血液分離チャンバを上方に引き出して、血液分離チャンバを装着溝に装着する。
【先行技術文献】
【特許文献】
【０００５】
【特許文献１】特表２０１３−５１４８６３号公報
【発明の概要】
【発明が解決しようとする課題】
【０００６】
本発明は、上記の従来技術に関連してなされたものであり、取付作業者が楽な姿勢で採血回路セットを取り付けることができる遠心分離用ロータ及び遠心分離装置を提供することを目的とする。
【課題を解決するための手段】
【０００７】
上記の目的を達成するため、本発明は、血液分離チャンバと前記血液分離チャンバに接続された少なくとも１つのチューブを含む送液ラインとを備えた採血回路セットの前記血液分離チャンバに遠心力を付与するように構成された遠心分離用ロータであって、上下方向の軸心を中心に回転駆動されるロータ本体と、前記ロータ本体によって囲まれ、前記ロータ本体の軸方向に貫通する貫通孔と、前記ロータ本体に設けられ、前記血液分離チャンバが上方から装着可能に構成された装着溝と、前記貫通孔と前記ロータ本体の外周部とを連通するとともに前記軸方向に貫通し、前記送液ラインを挿通可能なスリットと、を備え、前記装着溝は、当該装着溝の延在方向の一端側を構成する第１端部と、前記延在方向の他端側を構成する第２端部とを有し、前記貫通孔の周囲を一周未満の範囲で囲むように延在しており、前記スリットは、前記第１端部と前記第２端部との間の前記装着溝のない部分に設けられていることを特徴とする。
【０００８】
上記の構成を採用した本発明の遠心分離用ロータによれば、採血回路セットの一部を遠心分離用ロータに取り付ける際、血液分離チャンバをロータ本体の上方から装着するとともに、ロータ本体に設けられたスリットを通して、送液ラインをロータ本体の貫通孔へと導くことができる。このため、取付作業者は採血回路セットを楽な姿勢で取り付けることができる。よって、取付作業者の作業負担の軽減が図られる。また、スリットが装着溝を横断しないため、装着溝による血液分離チャンバの保持に影響を与えることがない。
【０００９】
上記の遠心分離用ロータにおいて、前記ロータ本体により構成される上側ロータの下方に、前記上側ロータと同軸に相対回転可能な下側ロータをさらに備え、前記下側ロータには、前記貫通孔に連通するとともに前記下側ロータの外周部で開口し、前記スリットと連通可能な下部空洞が設けられていてもよい。
【００１０】
この構成により、採血回路セットを遠心分離用ロータに取り付ける際、スリットと下部空洞とを連通させた状態にすることで、スリットを介して、貫通孔及び下部空洞に送液ラインを挿入し、配置することができる。これにより、取付作業者は、上側ロータと下側ロータとを有する遠心分離用ロータに対して、採血回路セットの一部を楽な姿勢で取り付けることができる。
【００１３】
上記の遠心分離用ロータにおいて、前記ロータ本体には、前記スリットを開閉可能な蓋部材が配置されていてもよい。
【００１４】
この構成により、ロータ回転時に蓋部材でスリットを閉じることで、遠心力による送液ラインの飛び出しを好適に防止することができる。
【００１５】
また、本発明は、血液分離チャンバと前記血液分離チャンバに接続された少なくとも１つのチューブを含む送液ラインとを備えた採血回路セットが装着されるように構成された遠心分離装置であって、前記血液分離チャンバ及び前記送液ラインが取付け可能であり、前記血液分離チャンバに遠心力を付与するロータを備え、前記ロータは、上記の遠心分離用ロータであることを特徴とする。
【発明の効果】
【００１６】
本発明の遠心分離用ロータ及び遠心分離装置によれば、取付作業者が楽な姿勢で採血回路セットを取り付けることができる。
【図面の簡単な説明】
【００１７】
【図１】採血システムの概略図である。
【図２】本発明の実施形態に係る遠心分離用ロータの斜視図である。
【図３】図２に示す遠心分離用ロータへのチャネルセットの取付け方法を説明する図である。
【図４】図２に示す遠心分離ロータにチャネルセットが取り付けられた状態を示す模式的断面図である。
【発明を実施するための形態】
【００１８】
以下、本発明に係る遠心分離用ロータ及び遠心分離装置について好適な実施形態を挙げ、添付の図面を参照しながら説明する。
【００１９】
図１において、採血システム１０は、供血者から血液（全血）を連続的に取り出して体外で遠心分離することにより、特定の血液成分（本実施形態では、血小板）を採取し、残りの血液成分を供血者に戻す血液アフェレーシスシステムとして構成されている。なお、採血システム１０は、適宜の改変を施すことにより、全血の採血を行うシステムにも適用可能である。
【００２０】
まず、図１に示す採血システム１０の概略を説明する。この採血システム１０は、血液成分を貯留及び流動するための採血回路セット１２と、採血回路セット１２に遠心力を付与する遠心分離装置１４とを備える。採血回路セット１２は、供血者から取り出された全血が導入され全血を複数の血液成分に遠心分離する１次分離器としての血液分離チャンバ１８を有する。
【００２１】
遠心分離装置１４は、血液分離チャンバ１８に遠心力を付与するための遠心分離用ロータ７８（以下、「ロータ７８」という）を有する。ロータ７８の上面８２ａには、ロータ７８の回転軸心ａを中心に周方向に延在する装着溝８６が形成されており、血液分離チャンバ１８は当該装着溝８６に装着可能である。以下、採血回路セット１２及び遠心分離装置１４について詳細に説明する。
【００２２】
採血回路セット１２は、汚染防止や衛生のため、１回の使用毎に使い捨てにされる。採血回路セット１２は、血液分離チャンバ１８を含む複数のバッグ１６と、血液分離チャンバ１８に接続された送液ライン１７と、複数のバッグ１６に繋がる複数のチューブ２０と、所定の経路に形成され複数のチューブ２０が保持又は接続されるカセット２２と、抗凝固剤導入部２４と、穿刺針２５を有する採血・返血部２６とを備える。
【００２３】
複数のバッグ１６は、血液分離チャンバ１８と、補助バッグ２８と、ＰＰＰ用バッグ３０と、保存液用バッグ３２と、血小板用バッグ３４とを含む。
【００２４】
血液分離チャンバ１８は、帯状の袋に形成されており、遠心分離装置１４のロータ７８に設けられた装着溝８６に装着されるように構成されている。また、血液分離チャンバ１８は、供血者の全血が供給される第１チャンバ４０（血液分離部）を内部に有する軟質バッグであり、容易に折り曲げたり、畳んだり、丸めたりすることが可能である。第１チャンバ４０は、血液分離チャンバ１８の一端部１８ａから他端部１８ｂまで延在している。遠心分離処理時において、第１チャンバ４０に導入された全血は、一端部１８ａから他端部１８ｂまで流動する間に遠心力によって遠心分離される。
【００２５】
血液分離チャンバ１８の一端部１８ａには、導入チューブ４６が連結されている。導入チューブ４６は、カセット２２を介して採血・返血部２６に接続されている。採血・返血部２６には、供血者からの初流血を採取するサンプリング部４９が接続されている。また、採血・返血部２６は、カセット２２を介して、抗凝固剤導入部２４に接続されている。
【００２６】
抗凝固剤導入部２４は、図示しないＡＣＤ液保存バッグと接続可能に構成されている。採血回路セット１２の使用時には、初期操作として、ＡＣＤ液保存バッグから抗凝固剤導入部２４を介して、抗凝固剤であるＡＣＤ液が血液分離チャンバ１８に供給され、これにより、全血の凝固が抑制される。
【００２７】
採血回路セット１２を使用した成分採血においては、供血者から穿刺針２５を介して取り出された全血は、導入チューブ４６が接続する一端部１８ａから装着溝８６に装着された血液分離チャンバ１８の第１チャンバ４０に流入する。流入した全血は、血液分離チャンバ１８の延在方向に沿って他端部１８ｂ側に向かって流動する。全血は、ロータ７８の回転に伴う遠心力を受けることで、その流動中に遠心分離がなされる。本実施形態の場合、全血は、遠心分離によって、軽比重成分（上清成分）である血漿（乏血小板血漿：ＰＰＰ）と、重比重成分（沈降成分）である濃厚赤血球と、中比重成分であるバフィーコート（ＢＣ）とに分離される。
【００２８】
血液分離チャンバ１８の他端部１８ｂには、第１〜第３導出チューブ４８ａ〜４８ｃが接続されている。
【００２９】
第１導出チューブ４８ａは、カセット２２内に設けられたリザーバ５０に接続されている。第１チャンバ４０の遠心分離により生成された濃厚赤血球は、第１導出チューブ４８ａによりリザーバ５０へと導かれる。
【００３０】
第２導出チューブ４８ｂは、カセット２２を介して、ＰＰＰ用バッグ３０に接続されたチューブ５２と、カセット２２内に設けられたリザーバ５０とに接続されている。全血の遠心分離により第１チャンバ４０にて生成された血漿は、第２導出チューブ４８ｂを介してカセット２２へと導かれ、一部はチューブ５２を介してＰＰＰ用バッグ３０へと導入され、残りの血漿はリザーバ５０へと導入される。リザーバ５０に貯留された血液成分（濃厚赤血球及び血漿）は、遠心分離処理後に、採血・返血部２６へと導出され、穿刺針２５を介して供血者に戻される。
【００３１】
第３導出チューブ４８ｃは、第２チャンバ５４を有する２次分離器としての濃縮器５６に接続されている。全血の遠心分離により第１チャンバ４０にて生成されたバフィーコートは、第３導出チューブ４８ｃにより、濃縮器５６へと導入される。バフィーコートには、白血球成分と多血小板血漿（血小板含有成分）が含まれる。
【００３２】
濃縮器５６は、血液分離チャンバ１８からのバフィーコートを第２チャンバ５４内に導入し、ロータ７８の回転に伴う遠心力によってバフィーコートをさらに遠心分離する。この濃縮器５６は、複数の段差付き円錐状に形成されており、ロータ７８に取り付けられた状態で、円錐状の頂部側が遠心中心から遠い側に配置され、円錐状の底面側が遠心中心に近い側に配置される。
【００３３】
濃縮器５６において、バフィーコートは、重比重成分である白血球と、軽比重成分である血小板（具体的には、血漿及び血小板を含む血小板含有成分）とに分離させられる。白血球は、濃縮器５６に形成された複数の段差によって捕捉される。血小板は、濃縮器５６の出口（底面側）に接続された中継チューブ５８へと流出し、カセット２２及びチューブ６０を介して血小板用バッグ３４へと導入される。また、血小板用バッグ３４には、血小板の導入に伴って、保存液用バッグ３２からチューブ６２、カセット２２及びチューブ６０を介して、血小板保存液（ＰＡＳ液）が供給される。
【００３４】
なお、導入チューブ４６、第１導出チューブ４８ａ、第２導出チューブ４８ｂ及び中継チューブ５８は、結束シース６４によって束ねられている。本実施形態において、送液ライン１７は、導入チューブ４６、第１〜第３導出チューブ４８ａ〜４８ｃ、濃縮器５６及び中継チューブ５８により構成されている。以下、採血回路セット１２のうち、血液分離チャンバ１８及び送液ライン１７により構成される部分を「チャネルセット３６」という。
【００３５】
遠心分離装置１４は、成分採血において繰り返し使用される機器であり、例えば、医療施設や採血用車両等に備えられる。遠心分離装置１４は、高さ方向に比較的長く形成された箱状の装置本体７０と、装置本体７０内に収容された遠心ユニット７２を備える。
【００３６】
装置本体７０は、採血回路セット１２の複数のバッグ１６を内部に収容し又は外部に保持するとともに、採血回路セット１２に取り込まれた血液の遠心分離を制御する機能を有している。この装置本体７０は、血液の遠心分離を行う際の操作や表示を行う表示操作装置７４と、採血回路セット１２のカセット２２が取り付け可能に構成された取付部７６と、遠心ユニット７２を収容する収容部７９と、収容部７９の前面側を開閉可能な扉８１とを備える。
【００３７】
装置本体７０の取付部７６は、装置本体７０の上部側に配置され、カセット２２を嵌め込み保持するように構成される。また、詳細は図示していないが、取付部７６は、複数のポンプ、複数のクランプ及び複数のセンサを備える。取付部７６へのカセット２２の取り付けに伴い、採血回路セット１２のチューブ２０やカセット２２が構成する経路上には、これらのポンプ、クランプ及びセンサが配置される。
【００３８】
遠心ユニット７２は、鉛直な軸心を中心に回転可能なロータ７８と、このロータ７８を回転駆動する駆動部８０（モータ）とを有する。ロータ７８は、血液分離チャンバ１８が装着されるように構成された上側ロータ８２（ロータ本体）と、上側ロータ８２と同軸に回転可能な下側ロータ８４とを有する。上側ロータ８２は、下側ロータ８４に対して相対回転可能であり、その上面８２ａには、血液分離チャンバ１８を装着するための装着溝８６が設けられている。
【００３９】
下側ロータ８４は、駆動部８０の出力軸に連結されている。上側ロータ８２を下側ロータ８４の２倍の速度で回転させるために、上側ロータ８２と下側ロータ８４とはピニオンアセンブリ８５により連結されている。ピニオンアセンブリ８５は、例えば、ロータ７８の回転軸心ａと垂直な軸心を中心に回転可能に下側ロータ８４に支持された中間ギヤと、非回転部位に設けられ中間ギヤの下部に噛合う下側ギヤと、回転軸心ａを中心に上側ロータ８２に設けられた上側ギヤとを有する。
【００４０】
このようなピニオンアセンブリ８５により、下側ロータ８４が１回転する毎に、上側ロータ８２は２回転する。これにより、遠心分離のために血液分離チャンバ１８がロータ７８によって連続的に回転しても、血液分離チャンバ１８と、この血液分離チャンバ１８に接続された複数のチューブ（導入チューブ４６等）との間の捩じれは所定範囲内に収まる。そのため、血液分離チャンバ１８と複数のチューブとの間のロータリーシールは不要とされている。
【００４１】
なお、上側ロータ８２を下側ロータ８４の２倍の速度で回転させるための手段は、上記のピニオンアセンブリ８５に限られず、他の構成であってもよい。例えば、上側ロータ８２と下側ロータ８４とをそれぞれ別々のモータで回転させることにより、上側ロータ８２を下側ロータ８４の２倍の速度で回転させてもよい。
【００４２】
図２に示すように、上側ロータ８２の上面８２ａに設けられた装着溝８６は、ロータ７８の回転軸心ａの周りを延在するように略円環状に形成されている。装着溝８６の略円環状の中心は、ロータ７８の回転軸心ａと一致している。装着溝８６は、上下方向に深さを有するとともに、上方に開口した溝である。
【００４３】
装着溝８６は、回転軸心ａの周りを一周する完全な環状ではなく、円の一部を切り欠いたＣ字状に形成されている。従って、装着溝８６は、周方向の一端側を構成する第１端部８７と、周方向の他端側を構成する第２端部８８とを有する。図示を省略しているが、上側ロータ８２の上面８２ａには、濃縮器５６を装着し固定するための固定部が設けられている。
【００４４】
また、上側ロータ８２には、上下方向に貫通した上部空洞９０（貫通孔）と、複数のスリット溝（第１〜第３スリット溝９２ａ〜９２ｃ）とが設けられている。上側ロータ８２の上部内面には、結束シース６４（図１参照）を保持するためのホルダ９１が取り付けられている。ホルダ９１は、上部空洞９０内に配置されている。第１スリット溝９２ａは第１端部８７と上部空洞９０とを連通しており、血液分離チャンバ１８の装着の際に、血液分離チャンバ１８に接続された導入チューブ４６（図１参照）が挿入される。
【００４５】
第２スリット溝９２ｂ及び第３スリット溝９２ｃは、第２端部８８と上部空洞９０とを連通している。第２スリット溝９２ｂは、血液分離チャンバ１８の装着の際に、血液分離チャンバ１８に接続された第３導出チューブ４８ｃ（図１参照）が挿入される。第３スリット溝９２ｃは、血液分離チャンバ１８の装着の際に、血液分離チャンバ１８に接続された第１導出チューブ４８ａ及び第２導出チューブ４８ｂ（図１参照）が挿入される。
【００４６】
図２に示すように、上側ロータ８２は、さらに、上部空洞９０と上側ロータ８２の外周部とを連通するとともに軸方向に貫通するスリット９６を有する。本実施形態では、スリット９６は、上側ロータ８２における上部空洞９０と外周部との間を径方向に貫通しており、回転軸心ａ側に向かって幅が徐々に狭くなっている。スリット９６の幅とは、スリット９６を形成する互いに対向する壁９６ａ、９６ｂ同士の距離をいう。なお、スリット９６の幅は、上側ロータ８２の径方向に略一定であってもよい。
【００４７】
スリット９６は、送液ライン１７（図１参照）を挿通可能な大きさに形成されている。本実施形態の場合、スリット９６の幅（最も狭い部分の幅）は、結束シース６４の太さ（外径）と略同じか、それよりも僅かに大きく設定されている。これにより、チャネルセット３６をロータ７８に取り付ける際に、上側ロータ８２の外周部からスリット９６を介して上部空洞９０へと結束シース６４（送液ライン１７）を支障なく通すことができる。
【００４８】
本実施形態において、スリット９６は、装着溝８６の第１端部８７と第２端部８８との間に設けられている。すなわち、スリット９６は、第１端部８７と第２端部８８との間を横断するように形成されており、装着溝８６と連通していない。なお、変形例において、スリット９６は、装着溝８６を横断するように形成されてもよい。この場合、スリット９６は、装着溝８６と連通する。
【００４９】
上側ロータ８２には、さらに、スリット９６を開閉可能な蓋部材９７が配置されている。本実施形態において、蓋部材９７は、上側ロータ８２の外周部に周方向にスライド可能に配置されている。図２において、蓋部材９７は開いている。図２の状態から蓋部材９７を矢印Ａ方向にスライド移動させることで、蓋部材９７が閉じ、スリット９６の外径側が閉じられる。
【００５０】
なお、蓋部材９７は、上側ロータ８２の外周部においてヒンジ部を介して回動可能に支持されてもよい。蓋部材９７を閉じた状態を維持するロック部がさらに設けられてもよい。
【００５１】
下側ロータ８４には、上側ロータ８２の中央部に形成された上部空洞９０に連通するとともに下側ロータ８４の外周面にて開口する下部空洞９４が設けられている。具体的に、下部空洞９４は、上部空洞９０の真下で上下方向に延在する縦孔部９４ａと、縦孔部９４ａの下部と下側ロータ８４の外周面とを連通する側孔部９４ｂとを有する。
【００５２】
下部空洞９４は、上側ロータ８２に設けられたスリット９６と連通可能である。具体的には、下側ロータ８４には、下側ロータ８４の縦孔部９４ａと外周部とを連通するとともに側孔部９４ｂに連なる切欠部９８が設けられており、スリット９６と下部空洞９４とは、当該切欠部９８を介して連通可能である。
【００５３】
切欠部９８の幅（最も狭い部分の幅）は、結束シース６４の太さ（外径）と略同じか、それよりも僅かに大きく設定されている。これにより、チャネルセット３６をロータ７８に取り付ける際に、下側ロータ８４の外周部から切欠部９８を介して上部空洞９０へと結束シース６４を支障なく通すことができる。
【００５４】
図２において、スリット９６と切欠部９８とは、周方向に位置がずれており、スリット９６と下部空洞９４とは連通していない。一方、上側ロータ８２と下側ロータ８４とを回転軸心ａを中心に相対的に回転させ、スリット９６と切欠部９８との周方向位置を一致させると、スリット９６と下部空洞９４とが切欠部９８を介して連通する状態になる。
【００５５】
また、下側ロータ８４には、湾曲したチューブ支持部１００が取り付けられている。チューブ支持部１００は、送液ライン１７の一部（結束シース６４により束ねられた複数のチューブ）を支持するための部材であり、下端が下側ロータ８４の外周部に固定され、上側ロータ８２よりも高い位置まで上方に延在している。
【００５６】
より具体的には、チューブ支持部１００は、下側ロータ８４に対する固定箇所から上方に向かってロータ７８の径方向外側に延在し、上側ロータ８２の側方を上方に延在し、上側ロータ８２の上方で回転軸心ａに近づくように湾曲している。チューブ支持部１００は、上側ロータ８２に接触していない。また、チューブ支持部１００には、上下方向に間隔を置いて複数のフック状の引っ掛け部１０２が設けられている。
【００５７】
次に、上記のように構成された本実施形態に係るロータ７８及び遠心分離装置１４の作用及び効果を説明する。
【００５８】
図１に示す採血システム１０を用いて供血者から成分採血を行うための準備（セットアップ）として、採血回路セット１２が遠心分離装置１４に装着される。遠心分離装置１４への採血回路セット１２の装着においては、具体的には、カセット２２が取付部７６に取り付けられ、複数のバッグ１６のうち血液分離チャンバ１８以外のバッグが遠心分離装置１４の適宜の箇所に吊り下げられ、チャネルセット３６がロータ７８に装着される。
【００５９】
ロータ７８に対してチャネルセット３６を装着する際には、取付作業者は、装置本体７０の扉８１を開けてロータ７８にアクセスする。そして、取付作業者は、図３のように、Ｃ字状に展開した血液分離チャンバ１８を上側ロータ８２の上方側から下して、血液分離チャンバ１８を装着溝８６に挿入し、装着する。またこの装着の際、導入チューブ４６及び第１〜第３導出チューブ４８ａ〜４８ｃを第１〜第３スリット溝９２ａ〜９２ｃに挿入する。
【００６０】
次に、取付作業者は、上側ロータ８２及び下側ロータ８４を回転させることにより、上側ロータ８２に設けられたスリット９６と、下側ロータ８４に設けられた切欠部９８とを自身の側に向けるとともに、当該スリット９６と切欠部９８との周方向位置を一致させる位相合わせを行う。これにより、スリット９６と切欠部９８とが連通し、スリット９６と下部空洞９４とが切欠部９８を介して連通した状態が形成される。なお、扉８１を開けた時点で、スリット９６及び切欠部９８が、取付作業者側に向き且つ周方向位置が一致している場合には、上述した位相合わせは不要である。
【００６１】
次に、取付作業者は、血液分離チャンバ１８に連結された送液ライン１７（結束シース６４及びこれにより保持された導入チューブ４６等の複数のチューブ）を、互いに連通したスリット９６及び切欠部９８を介して、上部空洞９０及び下部空洞９４へと導く。また、この際、結束シース６４の上端付近を、上側ロータ８２に設けられたホルダ９１に固定する。これにより、図４のように、送液ライン１７は、上部空洞９０及び下部空洞９４に挿通された状態となる。
【００６２】
次に、取付作業者は、上側ロータ８２に設けられた図示しない固定部に濃縮器５６（図１参照）を装着して固定する。また、取付作業者は、図４のように下部開口９５から出た結束シース６４をチューブ支持部１００の引っ掛け部１０２に引っ掛けつつ、結束シース６４をロータ７８の上方へと持ち上げる。この結果、図４のように、血液分離チャンバ１８に接続された送液ライン１７は、ロータ７８の上部空洞９０及び下部空洞９４に挿通されるとともに下部開口９５から引き出され、下部開口９５から上方へと向かう形態で、ロータ７８に保持される。なお、図示していないが、結束シース６４（送液ライン１７）は、装置本体７０の上部にて外部に引き出される。
【００６３】
この場合、本実施形態に係るロータ７８によれば、採血回路セット１２の一部（チャネルセット３６）をロータ７８に取り付ける際、血液分離チャンバ１８を上側ロータ８２（ロータ本体）の上方から装着するとともに、上側ロータ８２に設けられたスリット９６を通して、送液ライン１７を上側ロータ８２の上部空洞９０（貫通孔）へと導くことができる。このため、取付作業者は採血回路セット１２を楽な姿勢で取り付けることができる。よって、取付作業者の作業負担の軽減が図られる。
【００６４】
このような本実施形態に対し、上述した先行技術では、上側ロータ８２にスリット９６が設けられていないため、本実施形態の上述した作用効果は得られない。すなわち、スリット９６が設けられていない場合において、チャネルセット３６をロータ７８に取り付ける際、取付作業者は、まず、血液分離チャンバ１８を折り曲げて（あるいは丸めて）小さくした状態で、下部開口９５を介して下部空洞９４へと血液分離チャンバ１８を挿入する。このとき、下部開口９５は、遠心分離装置１４の下部に位置するため、取付作業者は、身体をかなり低い姿勢にする必要がある。次に、取付作業者は、血液分離チャンバ１８を把持する手を下部空洞９４に挿入しつつ、血液分離チャンバ１８を上部空洞９０内で上方に移動させ、上部開口９３から血液分離チャンバ１８を引き出す。そして、取付作業者は、折り曲げられた状態で引き出された血液分離チャンバ１８を円環状に展開し、装着溝８６に挿入する。このように、スリット９６が設けられていない場合、取付作業者は、下部開口９５から血液分離チャンバ１８を挿入する必要があるため、身体をかなり低い姿勢にしなければならない。このため、チャネルセット３６の取付けを楽な姿勢で行うことができない。
【００６５】
本実施形態によれば、採血回路セット１２をロータ７８に取り付ける際、スリット９６と下部空洞９４とを連通させた状態にすることで、スリット９６を介して、上部空洞９０及び下部空洞９４に送液ライン１７を挿入し、配置することができる。これにより、取付作業者は、上側ロータ８２と下側ロータ８４とを有するロータ７８に対して、採血回路セット１２の一部を楽な姿勢で取り付けることができる。
【００６６】
本実施形態によれば、装着溝８６は、上部空洞９０の周囲を一周未満の範囲で囲むように延在しており、スリット９６は、第１端部８７と第２端部８８との間に設けられている。この構成により、スリット９６が装着溝８６を横断しないため、装着溝８６による血液分離チャンバ１８の保持に影響を与えることがない。
【００６７】
本実施形態によれば、上側ロータ８２には、スリット９６を開閉可能な蓋部材９７が配置されている。この構成により、ロータ回転時に蓋部材９７でスリット９６を閉じることで、遠心力による送液ライン１７の飛び出しを好適に防止することができる。
【００６８】
本発明は上記実施形態に限定されるものではなく、本発明の要旨を逸脱しない範囲において、種々の改変が可能である。
【符号の説明】
【００６９】
１２…採血回路セット                １４…遠心分離装置
１７…送液ライン                    １８…血液分離チャンバ
７８…遠心分離用ロータ              ８２…上側ロータ
８４…下側ロータ                    ８６…装着溝
８７…第１端部                      ８８…第２端部
９０…上部空洞                      ９４…下部空洞
９６…スリット                      ９７…蓋部材
【図１】
0006599254.tif 000002
【図２】
0006599254.tif 000003
【図３】
0006599254.tif 000004
【図４】
0006599254.tif 000005